(57)【特許請求の範囲】
【請求項１】
表示領域上に静電容量タッチパネルを備える表示パネルであって、
前記静電容量タッチパネルは、絶縁層を介して交差された複数のＸ電極と複数のＹ電極を備え、
前記Ｘ電極および前記Ｙ電極は、それぞれ、その延在方向にパッド部と細線部とが交互に並ぶようにして形成され、
平面的に観た場合に、前記Ｘ電極のパッド部と前記Ｙ電極のパッド部は重畳することなく配置され、前記Ｘ電極のパッド部と前記Ｙ電極のパッド部の間に前記Ｘ電極および前記Ｙ電極に対してフローティングされたダミー電極が形成されていることを特徴とする表示パネル。
【請求項２】
前記Ｘ電極のパッド部と前記Ｙ電極のパッド部の間のダミー電極は、前記Ｘ電極のパッド部から前記Ｙ電極のパッド部へかけて並設される複数の電極で構成されていることを特徴とする請求項１に記載の表示パネル。
【請求項３】
前記ダミー電極はＸ電極と同層に形成されていることを特徴とする請求項１、２のいずれかに記載の表示パネル。
【請求項４】
前記ダミー電極はＹ電極と同層に形成されていることを特徴とする請求項１、２のいずれかに記載の表示パネル。
【請求項５】
前記Ｘ電極のパッド部と前記Ｙ電極のパッド部の間の複数のダミー電極は、Ｘ電極と同層に形成されるダミー電極とＹ電極と同層に形成されるダミー電極とからなることを特徴とする請求項２に記載の表示パネル。
【請求項６】
前記Ｘ電極と同層のダミー電極および前記Ｙ電極と同層のダミー電極を有し、平面的に観た場合、前記Ｘ電極と同層のダミー電極と前記Ｙ電極と同層のダミー電極は重ねられていることを特徴とする請求項１に記載の表示パネル。
【請求項７】
Ｘ電極と同層にＹ電極のパッド部と重ねて配置されるダミー電極を、Ｙ電極と同層にＸ電極のパッド部と重ねて配置されるダミー電極が形成されていることを特徴とする請求項１ないし６のいずれかに記載の表示パネル。
【発明の詳細な説明】
【技術分野】
【０００１】
本発明は表示パネルに係り、特に、その表示領域上に静電容量タッチパネルを備える表示パネルに関する。
【背景技術】
【０００２】
このような表示パネルは、その表示領域が前記静電容量タッチパネル（以下、タッチパネルと称する）を通して目視でき、該表示領域の所定の箇所を前記タッチパネルのたとえば指等の接触によって指定することができる。
【０００３】
前記タッチパネルは、複数のＸ電極と複数のＹ電極が絶縁膜を挟んで交差するように形成され、指の接触によって静電容量の変化を検出できるようになっている。すなわち、指が接触していない場合の容量（たとえばＸ電極容量Ｃｘ）と、静電容量Ｃｆを有する指が接触した場合の容量（Ｃｘ＋Ｃｆ）の差分を検出するようになっている。
【０００４】
ここで、静電容量の変化の検出に、低電流源などを用いた検出回路を用いる場合、前記差分に相当する信号はＣｆ／{Ｃｘ×（Ｃｆ＋ＣＸ）}にほぼ比例するようになる。そして、この信号に基づいて接触位置の位置（座標）を重心処理等によって算出し、該表示パネルに情報が反映されるようになっている。
【０００５】
このような構成からなるタッチパネルはたとえば下記特許文献１に開示がなされている。
【特許文献１】特開２００３−５１１７９９号公報
【発明の開示】
【発明が解決しようとする課題】
【０００６】
ここで、前記タッチパネルの概略的な構成を示すと、図１５に示すように、そのＸ電極ＸＰは図中ｙ方向に延在しｘ方向に並設される複数の電極からなり、Ｙ電極ＹＰは図中ｘ方向に延在しｙ方向に並設される複数の電極からなっている。
【０００７】
また、Ｘ電極ＸＰは、その延在方向に菱形形状の幅広部（パッド部）と幅狭部（細線部）とが交互に並ぶようにして形成され、Ｙ電極ＹＰも、その延在方向に菱形形状の幅広部（パッド部）と幅狭部（細線部）とが交互に並ぶようにして形成されている。
【０００８】
Ｘ電極ＸＰのパッド部とＹ電極ＹＰのパッド部は重畳することなく配置され、Ｘ電極ＸＰとＹ電極ＹＰの交差部はそれぞれの前記細線部の箇所においてなされるようになっている。
【０００９】
Ｘ電極ＸＰとＹ電極ＹＰは、図１５のｍ−ｎ線における断面図である図１６に示すように、絶縁層ＩＮＳを介して基板ＴＳＢ上に形成されている。なお、図中符号ＧＲＤは電極を保護するための保護層を示し、符号ＳＬＤはノイズの遮蔽を行うシールド層を示している。
【００１０】
そして、タッチパネルの検出性能を向上させるため、平面的に観て、Ｘ電極ＸＰのパッド部とＹ電極ＹＰのパッド部との間にはある程度の間隔α（図１６参照）をあけることが要求される。
【００１１】
この場合、前記間隔αを広くとった場合、該間隔の部分と電極の形成部との光透過率の相異、あるいは図  に示したように縦構造の差から生じる反射特性の差により、Ｘ電極ＸＰあるいはＹ電極ＹＰのパターンが目視されてしまうという不都合が生じる。
【００１２】
また、前記間隔αを狭くしようとし、製造におけるマスクずれによって、Ｘ電極ＸＰとＹ電極ＹＰとの重なりが生じた場合、電極容量（ＣｘあるいはＣｙ）が激増し、上述したＣｆ／{Ｃｘ×（Ｃｆ＋ＣＸ）}に比例する検出信号が小さくなってしまう不都合が生じる。また、Ｘ電極ＸＰとＹ電極ＹＰとの重なりがなくても、前記間隔αが極めて小さくなった場合、電極間のフリンジ容量が増加し、上述したと同様に不都合が生じ、タッチパネルの検出性能を悪化させてしまう。
【００１３】
本発明の目的は、電極のパターンの目視を低減でき、座標検出精度を向上させたタッチパネルを備える表示パネルを提供することにある。
【課題を解決するための手段】
【００１４】
本願において開示される発明のうち、代表的なものの概要を簡単に説明すれば、以下のとおりである。
【００１５】
（１）本発明による表示パネルは、たとえば、表示領域上に静電容量タッチパネルを備える表示パネルであって、
前記静電容量タッチパネルは、絶縁層を介して交差された複数のＸ電極と複数のＹ電極を備え、
前記Ｘ電極および前記Ｙ電極は、それぞれ、その延在方向にパッド部と細線部とが交互に並ぶようにして形成され、
平面的に観た場合に、前記Ｘ電極のパッド部と前記Ｙ電極のパッド部は重畳することなく配置され、前記Ｘ電極のパッド部と前記Ｙ電極のパッド部の間に前記Ｘ電極および前記Ｙ電極に対してフローティングされたダミー電極が形成されていることを特徴とする。
【００１６】
（２）本発明による表示パネルは、たとえば、（１）の構成を前提とし、前記Ｘ電極のパッド部と前記Ｙ電極のパッド部の間のダミー電極は、前記Ｘ電極のパッド部から前記Ｙ電極のパッド部へかけて並設される複数の電極で構成されていることを特徴とする。
【００１７】
（３）本発明による表示パネルは、たとえば、（１）、（２）のいずれかの構成を前提とし、前記ダミー電極はＸ電極と同層に形成されていることを特徴とする。
【００１８】
（４）本発明による表示パネルは、たとえば、（１）、（２）のいずれかの構成を前提とし、前記ダミー電極はＹ電極と同層に形成されていることを特徴とする。
【００１９】
（５）本発明による表示パネルは、たとえば、（２）の構成を前提とし、前記Ｘ電極のパッド部と前記Ｙ電極のパッド部の間の複数のダミー電極は、Ｘ電極と同層に形成されるダミー電極とＹ電極と同層に形成されるダミー電極とからなることを特徴とする。
【００２０】
（６）本発明による表示パネルは、たとえば、（１）の構成を前提とし、前記Ｘ電極と同層のダミー電極および前記Ｙ電極と同層のダミー電極を有し、平面的に観た場合、前記Ｘ電極と同層のダミー電極と前記Ｙ電極と同層のダミー電極は重ねられていることを特徴とする。
【００２１】
（７）本発明による表示パネルは、たとえば、（１）ないし（６）のいずれかの構成を前提とし、Ｘ電極と同層にＹ電極のパッド部と重ねて配置されるダミー電極を、Ｙ電極と同層にＸ電極のパッド部と重ねて配置されるダミー電極が形成されていることを特徴とする。
【００３０】
なお、本発明は以上の構成に限定されず、本発明の技術思想を逸脱しない範囲で種々の変更が可能である。また、上記した構成以外の本発明の構成の例は、本願明細書全体の記載または図面から明らかにされる。
【発明の効果】
【００３１】
このような構成からなる表示パネルによれば、電極のパターンの目視を低減でき、座標検出精度を向上させたタッチパネルを備える表示パネルを得ることができる。
【００３２】
本発明のその他の効果については、明細書全体の記載から明らかにされる。
【発明を実施するための最良の形態】
【００３３】
本発明の実施例を、図面を参照しながら説明する。なお、各図および各実施例において、同一または類似の構成要素には同じ符号を付し、説明を省略する。
【００３４】
〈実施例１〉
図１は、本発明による表示パネルの一実施例をタッチパネルおよびその駆動回路とともに示す構成図である。タッチパネル１０２は表示パネル（ディスプレイ）１０１の表示領域上に配置されている。該タッチパネル１０２は、絶縁膜（図示せず）を介してＸ電極ＸＰとＹ電極ＹＰを備える。Ｘ電極ＸＰは図中ｙ方向に延在しｘ方向に並設される複数の電極からなりｘ方向の座標を検出できるようになっている。Ｙ電極ＹＰは図中ｘ方向に延在しｙ方向に並設される複数の電極からなりｙ方向の座標を検出できるようになっている。このタッチパネル１０２は前記Ｘ電極ＸＰおよびＹ電極ＹＰも含めて透明部材で形成され、該タッチパネル１０２を通して前記表示パネル１０１を目視できるようになっている。前記Ｘ電極ＸＰおよびＹ電極ＹＰは検出回路１０３に接続され、該検出回路１０３は各Ｘ電極ＸＰと各Ｙ電極ＹＰの容量を検出するようになっている。操作者のたとえば指がタッチパネル１０２に接触していない場合のＸ電極ＸＰおよびＹ電極ＹＰのそれぞれの容量をＣｘ、Ｃｙとし、指の静電容量（容量変化分）をＣｆとすると、該指がタッチパネル１０２に接触した場合（以下、単に接触時と称する場合あり）、前記検出回路１０３はＣｘ＋ＣｆあるいはＣｙ＋Ｃｆの容量を検出するようになる。これに対し、指がタッチスクリーン１０２に接触していない場合（以下、単に非接触時と称する場合あり）、前記検出回路１０３はＣｘ、Ｃｙの容量を検出するようになる。また、前記検出回路１０３は、指の接触時と非接触時の容量差分をＸ電極ＸＰおよびＹ電極ＹＰの信号成分とし、この信号成分から該指の接触している箇所の座標を算出する。該座標の情報はシステム（ＣＰＵ）１０４に転送され、入力情報に基づいた処理に応じ、表示制御装置１０５を介して前記表示パネル１０１に前記情報を反映する。
【００３５】
図２は、前記検出回路１０３において、電流Ｉを出力する定電流源によって容量を検出する場合の、検出時間ｔと検出電圧Ｖとの関係を示す。図２に示すグラフの横軸は検出時間ｔ、縦軸は検出電圧Ｖである。定電流源によりＸ電極ＸＰ、Ｙ電極ＹＰの容量は充電されるため、非接触時の傾きは１／Ｃｘとなり、接触時の傾きは１／（Ｃｘ＋Ｃｆ）となる。図２から明らかとなるように、接触時の電圧と非接触時の電圧は差が生じることになる。この差分をＸ電極ＸＰ、Ｙ電極ＹＰの信号成分とすると、たとえばＸ電極ＸＰにおいて信号成分は、Ｉ×ｔ×Ｃｆ／{Ｃｘ×（Ｃｘ＋Ｃｆ）}となり、電極容量Ｃｘに反比例する関係となる。このことは、電極容量ＣｘまたはＣｙを小さくすることで、同じ静電容量でも信号成分を大きく取ることができ、信号ノイズ比を改善できることを意味する。
【００３６】
図３は、前記タッチスパネル１０２の一実施例を示す平面図で、そのＸ電極ＸＰ、Ｙ電極ＹＰのそれぞれのパターンを明確に表している。また、図４（ａ）は図３のａ−ｂ線における断面図を示している。
【００３７】
タッチパネル１０２は、図４（ａ）に示すように、透明基板ＴＳＢの主表面に、Ｙ電極ＹＰ、このＹ電極ＹＰをも被った絶縁膜ＩＮＳ、Ｘ電極ＸＰが順次形成されている。また、Ｘ電極ＸＰの上面には該Ｘ電極ＸＰをも被って保護膜ＧＲＤが形成されている。透明基板ＴＳＢの裏面にはノイズをシールドするシールド層ＳＬＤが形成されている。
【００３８】
Ｙ電極ＹＰは、たとえばＩＴＯ（Indium Tin Oxide）等の透明導電膜からなり、図３において、図中ｘ方向に延在しｙ方向に並設されて形成されている。Ｙ電極ＹＰは、それぞれ、その延在方向に幅広部（以下、パッド部と称する場合がある）と幅狭部（以下、細線部と称する場合がある）とが交互に並ぶようにして形成され、該幅広部は、たとえば、その両脇の前記幅狭部との接続部に角部が位置づけられる菱形形状をなしている。また、並設される他のＸ電極ＹＰにおいて、それぞれの幅広部と幅狭部が図中ｙ方向に並設されるように配置されている。
【００３９】
Ｘ電極ＸＰは、たとえばＩＴＯ等の透明導電膜からなり、図３において、図中ｙ方向に延在しｘ方向に並設されて形成されている。Ｘ電極ＸＰも、それぞれ、その延在方向に幅広部（以下、パッド部と称する）と幅狭部（以下、細線部と称する）とが交互に並ぶようにして形成され、該幅広部は、たとえば、その両脇の前記幅狭部との接続部に角部が位置づけられる菱形形状をなしている。ここで、Ｘ電極ＸＰの幅広部は、図３に示すように、平面的に観た場合、前記Ｙ電極ＹＰの互いに隣接する４個の幅広部の間に、該４個の幅広部に囲まれるようにし、しかも、それらと重ねられることなく配置されている。このことから、並設される各Ｘ電極ＸＰにおいて、それぞれの幅広部と幅狭部が図中ｘ方向に並設されるように配置されている
なお、Ｘ電極ＸＰとＹ電極ＹＰは、図３に示すように、平面的に観た場合、Ｘ電極ＸＰの幅狭部とＹ電極ＹＰの幅狭部において交差するようになっている。
【００４０】
また、菱形形状からなるＸ電極ＸＰの幅広部は、その４辺のそれぞれにおいて、それらの辺に沿って形成された線状の電極（この明細書においてダミー電極ＸＤと称する）を隣接させて配置させた構成となっている。このダミー電極ＸＤは、前記Ｘ電極ＸＰおよびＹ電極ＹＰと電気的な接続はなされずに絶縁膜ＩＮＳ上あるいは絶縁膜ＩＳＮ内に形成されることによって、フローティング状態（絶縁状態）で設けられたものとなっている。これらダミー電極ＸＤは、後に詳述するように、Ｘ電極ＸＰ、Ｙ電極ＹＰのパターンの目視を低減させ、検出出力の増大を図る機能を有するようになっている。
【００４１】
なお、このダミー電極ＸＤは、互いに隣接するＸ電極ＸＰ、Ｙ電極ＹＰのパッド部の間にあって、該パッド部の辺が直線状となっているため、該ダミー電極ＸＤの形状もそれに合わせた直線状となっている。しかし、前記パッド部の辺は必ずしも直線状でなく湾曲部を有していてもよく、この場合において、前記ダミー電極ＸＤの形状もそれに合わせて湾曲部を有するようにしてもよい。
【００４２】
そして、これらダミー電極ＸＤは、図３に示すように、平面的に観た場合、Ｘ電極ＸＰとＹ電極ＹＰとの間に、該Ｘ電極ＸＰとＹ電極ＹＰのいずれにも重畳することなく配置されている。すなわち、図４（ａ）に示すように、Ｘ電極ＸＰと前記ダミー電極ＸＤとの間において距離αを、該ダミー電極ＸＤとＹ電極ＹＰとの間において距離αを確保するようになっている。換言すれば、Ｘ電極ＸＰとＹ電極ＹＰとの間隙部にダミー電極ＸＤが配置され、このダミー電極ＸＤは前記Ｘ電極ＸＰあるいはＹ電極ＹＰに対して距離αを隔てて形成されている。このαは前記ダミー電極ＸＤの周辺に沿って変化する値ではなく一定であることが望ましい。
【００４３】
なお、図４においては、前記ダミー電極ＸＤの幅をβ、Ｙ電極ＹＰの幅広部の幅をγｘ、Ｘ電極ＸＰの幅広部の幅を前記ダミー電極ＸＤをも含めてγｙで示している。ここで、たとえばγｘ=γｙとなっている。
【００４４】
このように構成したタッチパネル１０２において、たとえばＸ電極ＸＰの容量は、図４（ａ）と対応する図４（ｂ）に示すように、Ｘ電極ＸＰの幅広部とシールド層ＳＬＤとの容量Ｃｘｓ、ダミー電極ＸＤとシールド層ＳＬＤとの容量Ｃｄｓ、Ｘ電極ＸＰの幅広部とダミー電極ＸＤとの容量Ｃｘｄ、ダミー電極ＸＤとＹ電極ＹＰの幅広部との容量Ｃｙｄ、Ｘ電極ＸＰの幅広部とＹ電極ＹＰの幅広部との容量Ｃｘｙ、およびＸ電極ＸＰとＹ電極ＹＰとの交差容量（図示しない）の和となる。
【００４５】
図５のグラフは、Ｙ電極ＹＰの幅広部の幅γｘ、Ｘ電極ＸＰの幅広部の幅γｙをそれぞれ４４０００μｍとした場合の、図４（ｂ）に示した各容量の合計（隣接間容量）をシミュレーションで求めた結果である。前記ダミー電極ＸＤを設けなかった場合（ＸＤ：無、図１５に示したパターン）、Ｘ電極ＸＰ（パッド部）とＹ電極ＹＰ（パッド部）の間の距離（電極間隔α）を狭めると反比例的に容量が増大することが判る。また、前記ダミー電極ＸＤを設けた場合（ＸＤ：有）、図４（ａ）に示したαの値を前記電極間隔αと同じにした場合でも容量を半分近く低減させることができることが判る。
【００４６】
図６は、図４（ａ）に示した構成において、たとえば指からなる導体ＮＦＧが接触した場合における容量変化を示した図である。前記導体ＮＦＧと各電極との間の容量Ｃｆｘ、Ｃｆｄ、Ｃｆｘの合計容量を前記検出回路１０３が検出することによって、容量変化分を算出する。この場合、ダミー電極ＤＸは上述したようにフローティング状態にあるが、シールド層ＳＬＤとダミー電極ＤＸとの間の容量Ｃｄｓ、Ｃｆｄのシリーズ容量を変化分として検出できることから、前記ダミー電極ＤＸも前記導体ＮＦＧの検出に寄与できるようになる。
【００４７】
このように構成したタッチパネル１０２は、ダミー電極ＸＤを設けることによって、Ｘ電極ＸＰのパッド部とダミー電極ＸＤとの離間距離α、ダミー電極ＸＤとＹ電極ＹＰとの離間距離αを小さくした状態での電極容量Ｃｘを小さく抑えることができる。したがって、電極容量Ｃｘに反比例する信号成分を充分に得ることができ、また、該ダミー電極ＸＤも信号検出に寄与できることから、タッチパネル１０２の検出精度を向上させることができる。このことから、容量の増大を憂えることなく、Ｘ電極ＸＰのパッド部とダミー電極ＸＤとの離間距離α、ダミー電極ＸＤとＹ電極ＹＰとの離間距離αの値を小さくすることができる。このため、Ｘ電極ＸＰ、Ｙ電極ＹＰのそれぞれのパターンを目視し難くすることができる。
【００４８】
上述した実施例では、ダミー電極は、Ｘ電極ＸＰと同層にして形成したものである。しかし、これに限定されることはなく、Ｙ電極ＹＰと同層にして形成してもよい。同様の効果が得られるからである。
【００４９】
また、さらに、Ｘ電極ＸＰと同層に、さらに、Ｙ電極ＹＰと同層に、それぞれダミー電極を形成するようにしてもよい。この場合、平面的に観た場合、Ｘ電極ＸＰに隣接するダミー電極ＸＤと、Ｙ電極ＹＰに隣接するダミー電極ＹＤは重なることなく、隙間を有して隣接して配置されることが望ましい。
【００５０】
また、上述した実施例では、Ｘ電極ＸＰのパッド部およびＹ電極ＹＰのパッド部は、いずれも菱形形状としたものである。しかし、これに限定されることはなく、任意の形状としてもよい。そして、このことは以下に説明する実施例においても同様である。
【００５１】
さらに、上述した実施例では、Ｙ電極ＹＰを透明基板ＴＳＢ上に、Ｘ電極ＸＰを絶縁層ＩＮＳ上に形成したものである。しかし、これに限定されることはなく、逆であってもよい。そして、このことは以下に説明する実施例においても同様である。
【００５２】
〈実施例２〉
図７は、前記タッチパネル１０２の他の実施例を示す平面図で、図３と対応した図となっている。図８は、図７のｃ−ｄ線における断面図である。
【００５３】
図７において、図３と異なる構成は、まず、Ｘ電極ＸＰのパッド部の各辺に隣接して形成されるダミー電極ＸＤは、前記パッド部の各辺に交差する方向に２個並設されて設けられていることにある。さらに、Ｙ電極ＹＰにおいても、そのパッド部の各辺に隣接してダミー電極ＹＤが設けられ、該ダミー電極ＹＤは、前記パッド部の各辺に交差する方向に２個並設されて設けられている。このようにした場合でも、実施例１に示したと同様の効果が得られる。
【００５４】
なお、ダミー電極の数は３個以上であってもよいし、このような複数のダミー電極は、Ｘ電極ＸＰ、Ｙ電極ＹＰのうち一方の電極と同層に形成しても同様である。
【００５５】
〈実施例３〉
図９は、前記タッチパネル１０２の他の実施例を示す平面図で、図３と対応した図となっている。図１０は、図９のｅ−ｆ線における断面図である。
【００５６】
図３の場合と比較して異なる構成は、Ｘ電極ＸＰのパッド部の中央に、該Ｘ電極ＸＰと電気的に絶縁されたフローティング状態のダミー電極ＤＸ（図中符号ＸＤｃで示す）が形成されていることにある。また、Ｙ電極ＹＰのパッド部の中央に、該Ｙ電極ＹＰと電気的に絶縁されたフローティング状態のダミー電極ＤＹ（図中符号ＹＤｃで示す）が形成されていることにある。
【００５７】
このように構成することによって、たとえばＸ電極ＸＰにおいて、シールド層ＳＬＤとＸ電極ＸＰとの間の容量Ｃｘｓの値を減少させることができる。したがって、電極容量Ｃｘを小さくでき、信号成分を改善することができる。また、Ｘ電極ＸＰのパッド部の中央のダミー電極ＸＤｃ上に、指等の導体が来た場合でも、該指の接触による容量変化分を検出できるようになる。
【００５８】
この実施例では、Ｘ電極ＸＰ、Ｙ電極ＹＰのいずれにおいても、それらのバッド部の中央にダミー電極を形成したものであるが、Ｘ電極ＸＰ、Ｙ電極ＹＰのうち一方にダミー電極を形成するようにしてもよい。
【００５９】
また、この実施例は、実施例２に示した構成に適用でき、さらに実施例４以降の構成にも適用することができる。
【００６０】
また、Ｘ電極ＸＰ、Ｙ電極ＹＰの領域内に上述のようなダミー電極ＸＤｃ、ＹＤｃを設けることは、それ自体に上述したような効果を奏することから、この適用にあって、Ｘ電極ＸＰおよびＹ電極ＹＰの間のダミー電極ＸＤ、ＹＤを設けない構成とすることもできる。
【００６１】
〈実施例４〉
図１１は、前記タッチパネル１０２の他の実施例を示す平面図で、図３と対応した図となっている。図１２は、図１１のｇ−ｈ線における断面図である。
【００６２】
図３の場合と比較して異なる構成は、まず、Ｘ電極ＸＰと同層に、Ｙ電極ＹＰのパッド部と重畳する領域にも該Ｙ電極ＹＰのパッド部とほぼ同じ大きさのフローティング状態のダミー電極ＸＤ（図中符号ＸＤｐで示す）を設けていることにある。当該ダミー電極ＹＤｐは、Ｘ電極ＸＰのバッド部に隣接して形成される上述のダミー電極ＹＤとは、その外側に別個に設けられたダミー電極ＹＤｐとなっている。また、Ｙ電極ＹＰと同層に、Ｘ電極ＸＰのパッド部および該パッド部に隣接して配置されるダミー電極ＸＤと、重畳させるようにして、それらと同大、同形のフローティング状態のダミー電極ＹＤ（図中符号ＹＤｐ）を設けていることにある。
【００６３】
これにより、Ｘ電極ＸＰが形成された層のパターンとＹ電極ＹＰが形成された層のパターンがほぼ同じとなり、それらは重畳されたものとなる。このことは、各層において光学的構造を同じにできる（反射率の差を低減できる）ことを意味し、Ｘ電極ＸＰ、Ｙ電極ＹＰのそれぞれのパターンを目視し難くできる効果を奏する。
【００６４】
〈実施例５〉
図１３は、前記タッチパネル１０２の他の実施例を示す平面図で、図１１と対応した図となっている。図１４は、図１３のｉ−ｊ線における断面図である。
【００６５】
図１１の場合と比較して異なる構成は、たとえばＸ電極ＸＰのパッド部の面積をＹ電極ＹＰのパッド部の面積よりも小さく構成していることにある。Ｘ電極ＸＰ、Ｙ電極ＹＰのそれぞれのパッド部の面積比率を変えるようにしても座標検知ができるからである。
【００６６】
この場合、図１３において、Ｘ電極ＸＰのパッド部の絶縁膜ＩＮＳを介した下層に重畳してダミー電極ＹＤｐが形成されているが、このダミー電極ＹＤｐの面積は前記Ｘ電極ＸＰのパッド部の面積とほぼ同様となっている。また、Ｙ電極ＹＰのパッド部の絶縁膜ＩＮＳを介した上層に重畳してダミー電極ＸＤｐが形成されているが、このダミー電極ＸＤｐの面積は前記Ｙ電極ＹＰのパッド部の面積とほぼ同様となっている。
【００６７】
なお、実施例５は、実施例４の構成を前提としてＸ電極ＸＰ、Ｙ電極ＹＰのそれぞれのパッド部の面積比率を変えて構成したものである。しかし、これに限定されず、実施例１ないし実施例３のうちのいずれかの構成を前提としてＸ電極ＸＰ、Ｙ電極ＹＰのそれぞれのパッド部の面積比率を変えるようにしてもよい。
【００６８】
また、実施例５は、Ｘ電極ＸＰのパッド部の面積をＹ電極ＹＰのパッド部の面積よりも小さく構成したものである。しかし、これに限定はされず、Ｙ電極ＹＰのパッド部の面積をＸ電極ＸＰのパッド部の面積よりも小さく構成するようにしてもよい。
【００６９】
なお、実施例１ないし５では、平面的に観た場合、Ｘ電極ＸＰのパッド部とＹ電極ＹＰのパッド部の間に複数のダミー電極を設ける場合、該Ｘ電極ＸＰのパッド部からＹ電極ＹＰのパッド部への方向へ並設させるようにしたものである。しかし、これに限定されることはなく、該方向と直交する方向に並設させるようにしてもよい。
【００７０】
以上、実施例を用いて本発明を説明してきたが、これまでの各実施例で説明した構成はあくまで一例であり、本発明は、技術思想を逸脱しない範囲内で適宜変更可能である。また、それぞれの実施例で説明した構成は、互いに矛盾しない限り、組み合わせて用いてもよい。
【図面の簡単な説明】
【００７１】
【図１】本発明による表示パネルの一実施例の概略を示す構成図である。
【図２】図１に示すタッチパネルの接触時と非接触時における容量変化を説明するグラフである。
【図３】前記タッチパネルの一実施例を示す平面図である。
【図４】図３のａ−ｂ線における断面図と電極間に発生する容量を示す図である。
【図５】ダミー電極の有無に応じた隣接間容量をシミュレーションによって求めたグラフである。
【図６】図１に示すタッチパネルの接触時における容量変化分を示した図である。
【図７】前記タッチパネルの他の実施例を示す平面図である。
【図８】図７のｃ−ｄ線における断面図である。
【図９】前記タッチパネルの他の実施例を示す平面図である。
【図１０】図９のｅ−ｆ線における断面図である。
【図１１】前記タッチパネルの他の実施例を示す平面図である。
【図１２】図１１のｇ−ｈ線における断面図である。
【図１３】前記タッチパネルの他の実施例を示す平面図である。
【図１４】図１３のｉ−ｊ線における断面図である。
【図１５】従来のタッチパネルの一例の平面図である。
【図１６】図１５のｍ−ｎ線における断面図である。
【符号の説明】
【００７２】
１０１……表示パネル（ディスプレイ）、１０２……タッチパネル、１０３……検出回路、１０４……システム（ＣＰＵ）、１０５……表示制御装置、ＸＰ……Ｘ電極、ＹＰ……Ｙ電極、ＸＤ、ＹＤ……ダミー電極、ＴＳＢ……透明基板、ＩＮＳ……絶縁層、ＧＲＤ……保護層、ＳＬＤ……シールド層。
【図１】
0004945483.tif 000002
【図２】
0004945483.tif 000003
【図３】
0004945483.tif 000004
【図４】
0004945483.tif 000005
【図５】
0004945483.tif 000006
【図６】
0004945483.tif 000007
【図７】
0004945483.tif 000008
【図８】
0004945483.tif 000009
【図９】
0004945483.tif 000010
【図１０】
0004945483.tif 000011
【図１１】
0004945483.tif 000012
【図１２】
0004945483.tif 000013
【図１３】
0004945483.tif 000014
【図１４】
0004945483.tif 000015
【図１５】
0004945483.tif 000016
【図１６】
0004945483.tif 000017